(57)【要約】【課題】放水路に放出される排出海水に同伴される泡を安定して連続して監視することができる使用済排出海水の泡監視装置及び排出システムを提供する。【解決手段】本発明に係る使用済排出海水の泡監視装置１３は、使用済の排出海水１１を海２０に放水するための放水路１２の流路上と海面上とに設けられ、排出海水１１と海２０とに向けて照射した光の反射光を受光する測定部１５ａ、１５ｂと、測定部１５ａ、１５ｂで受光された光量を検知するセンサ１６と、測定部１５ａ、１５ｂで受光された光をセンサ１６に伝達する光ファイバー１７と、測定部１５ａ、１５ｂを放水路１２及び海面上に支持するための支持部材１８と、測定部１５ａ、１５ｂの受光量の対比結果から排出海水１１に泡２３が浮遊しているか否かを求める制御装置１９とを有し、測定部１５ａ、１５ｂは、発光部２５ａ、２５ｂと、受光部２６ａ、２６ｂとを有する。【選択図】図１
2013036786.tif 000002
【特許請求の範囲】
【請求項１】
使用済の排出海水を放水する放水路の流路上と海面上とに設けられ、前記排出海水と海とに向けて照射した光の反射光を受光する一対の測定部と、
前記一対の測定部で受光された光量を検知する検知部と、
前記一対の測定部で受光された光を前記検知部に伝達する光送電手段と、
前記一対の測定部を前記放水路及び海面上に支持するための支持部材と、
前記一対の測定部の受光量の対比結果から前記排出海水に泡が浮遊しているか否かを求める制御手段と、
を有し、
前記一対の測定部は、前記排出海水と前記海とに向けて光を照射する一対の発光部と、前記一対の発光部から前記排出海水及び前記海に照射して反射した反射光を受光する一対の受光部と、
を有することを特徴とする使用済排出海水の泡監視装置。
【請求項２】
請求項１において、
前記制御手段の判断結果に基づいて前記泡の有無を表示する表示手段を有することを特徴とする使用済排出海水の泡監視装置。
【請求項３】
使用済の排出海水を海に放水する排水路と、
請求項１又は２の使用済排出海水の泡監視装置と、
前記排出海水に浮遊している泡を消泡する消泡装置と、
を有することを特徴とする使用済排出海水の排出システム。
【請求項４】
請求項３において、
前記放水路に前記排出海水に浮遊している泡の拡散を抑制するための１つ以上の浮体を有することを特徴とする使用済排出海水の排出システム。
【請求項５】
請求項３又は４において、
前記制御手段は、前記一対の測定部の受光量の対比結果に基づいて前記泡の発生量が所定量以上となったら、前記消泡装置を用いて前記排出海水に浮遊している前記泡を消泡することを特徴とする使用済排出海水の排出システム。
【請求項６】
使用済の排出海水を放水する放水路を流れる前記排出海水と、海に向けて一対の発光部から照射して反射した反射光を一対の受光部で受光し、
前記反射光を光送電手段を介して検知部に伝達し、
前記検知部で前記一対の受光部で受光された光量を検知し、
前記一対の受光部で受光された反射光の受光量を対比して前記排出海水に泡が浮遊しているか否かを求めることを特徴とする使用済排出海水の泡監視方法。
【請求項７】
請求項６の使用済排出海水の泡監視方法により前記排出海水に泡が浮遊しているか否かを判断し、前記排出海水に前記泡が浮遊している場合には、消泡装置を用いて前記排出海水に浮遊している前記泡を消泡することを特徴とする使用済排出海水の排出処理方法。
【請求項８】
請求項７において、
前記排出海水に泡が浮遊しているか否かを判断した判断結果に基づいて、前記排出海水に浮遊している前記泡の量が所定量以上となったら、前記消泡装置を用いて前記排出海水に浮遊している前記泡を消泡することを特徴とする使用済排出海水の排出処理方法。
【発明の詳細な説明】
【技術分野】
【０００１】
本発明は、例えば火力発電所や原子力発電所等の発電プラントや化学プラント等の冷却水として、あるいは排ガスの洗浄用水として、海水を使用した後に再び海へ排出する使用済排出海水に同伴される泡を監視する使用済排出海水の泡監視装置及び排出システムに関するものである。
【背景技術】
【０００２】
原子力発電所、火力発電所などの種々の発電プラントでは、海水は復水器等の冷却水や、海水脱硫設備の排ガス処理用の水や熱交換器等の熱交換用の水として多量に使用されている。復水器で使用された後の使用済の排出海水、海水脱硫設備で用いた使用済の排出海水、熱交換器等から排出される排出海水は、温排水として放水路に排出され、海域や河川域に排出されている。
【０００３】
放水路には、一般に海の潮位の変動に対応するため堰を設置しているが、この堰を越えて排水が下流側に流れ落ちて空気を巻き込むことで、放水路の水面上には多量の泡が発生する。また、放水路には、排水が空気を巻き込むことで生じる泡の他に、界面活性剤などの化学薬品、微生物や生物死骸など汚染物などの様々な原因により生じている泡も含まれている場合がある。
【０００４】
空気を巻き込むことで生じる泡のほとんどは排水路の途中で消泡するが、化学薬品や汚染物等に起因して生じた泡は、化学薬品や汚染物等による界面活性作用により容易に破泡しないため、使用済海水や排出海水の表面に浮遊している場合が多く、排水路の排出口から海に排出される場合がある。
【０００５】
また、化学薬品や汚染物等に起因して生じた泡は、空気を巻き込むことで生じる泡に比べ外観も悪く、排水基準に泡の規制がないが、これらに起因して生じた泡が同伴された排出海水は、外観的に汚濁排水と認識されやすい。そのため、排水が放水される周辺の海域や河川域で行われている漁業や農業の安全性を確保する観点から、泡の安全性の確認や証明を行う場合がある。
【０００６】
また、放水路の下流側にはフロートを設置して、放水路の水面上に浮遊している泡が海域や河川域に流れ出さないようにしている。しかし、放水路の水面上に浮遊している泡を海域や河川域に流れ出さないようにフロートで止めておくと、フロート周辺には多量の泡が集中して、高波が来た場合や強風が生じた場合には、フロート周辺に浮遊している泡が近隣に飛散してしまう場合がある。
【０００７】
そこで、放水路の水面上に泡が発生するのを抑制するため、従来では、例えば、冷却水として用いる海水中に消泡剤等の薬剤を添加し、海水を冷却水として用いる際に泡が発生するのを抑制する発泡抑制方法などが用いられている（例えば、特許文献１参照）。
【０００８】
また、放水路の水面上に泡が発生するのを抑制する他に、フロートが浮いている放水路周辺の水面を作業員が直接確認するか監視カメラなどを用いて目視で監視し、フロートで泡が止まっているのを確認した際には、フロート周辺の水面上に浮遊している泡を回収し、分析等していた。
【先行技術文献】
【特許文献】
【０００９】
【特許文献１】国際公開第２００８／０４１４００号
【発明の概要】
【発明が解決しようとする課題】
【００１０】
しかしながら、作業員が直接確認するか監視カメラなどを用いて目視で監視する方法では、夜間は放水路の水面上に浮遊している泡を確認することは困難であるため、昼夜を通じて安定して放水路の水面上に浮遊している泡を監視することは困難である、という問題がある。
【００１１】
そこで、放水路の水面上に浮遊している泡を昼夜を通じて安定して監視することができる泡の泡検知装置が切望されている。
【００１２】
本発明は、前記問題に鑑みてなされたものであって、放水路に放出される排出海水に同伴される泡を安定して連続して監視することができる使用済排出海水の泡監視装置及び排出システムを提供することを目的とする。
【課題を解決するための手段】
【００１３】
上述した課題を解決するための本発明の第１の発明は、使用済の排出海水を放水する放水路の流路上と海面上とに設けられ、前記排出海水と海とに向けて照射した光の反射光を受光する一対の測定部と、前記一対の測定部で受光された光量を検知する検知部と、前記一対の測定部で受光された光を前記検知部に伝達する光送電手段と、前記一対の測定部を前記放水路及び海面上に支持するための支持部材と、前記一対の測定部の受光量の対比結果から前記排出海水に泡が浮遊しているか否かを求める制御手段と、を有し、前記一対の測定部は、前記排出海水と前記海とに向けて光を照射する一対の発光部と、前記一対の発光部から前記排出海水及び前記海に照射して反射した反射光を受光する一対の受光部と、を有することを特徴とする使用済排出海水の泡監視装置である。
【００１４】
第２の発明は、第１の発明において、前記制御手段の判断結果に基づいて前記泡の有無を表示する表示手段を有することを特徴とする使用済排出海水の泡監視装置である。
【００１５】
第３の発明は、使用済の排出海水を海に放水する排水路と、第１又は第２の発明の使用済排出海水の泡監視装置と、前記排出海水に浮遊している泡を消泡する消泡装置と、を有することを特徴とする使用済排出海水の排出システムである。
【００１６】
第４の発明は、第３の発明において、前記放水路に前記排出海水に浮遊している泡の拡散を抑制するための１つ以上の浮体を有することを特徴とする使用済排出海水の排出システムである。
【００１７】
第５の発明は、第３又は第４の発明において、前記制御手段は、前記一対の測定部の受光量の対比結果に基づいて前記泡の発生量が所定量以上となったら、前記消泡装置を用いて前記排出海水に浮遊している前記泡を消泡することを特徴とする使用済排出海水の排出システムである。
【００１８】
第６の発明は、使用済の排出海水を放水する放水路を流れる前記排出海水と、海に向けて一対の発光部から照射して反射した反射光を一対の受光部で受光し、前記反射光を光送電手段を介して検知部に伝達し、前記検知部で前記一対の受光部で受光された光量を検知し、前記一対の受光部で受光された反射光の受光量を対比して前記排出海水に泡が浮遊しているか否かを求めることを特徴とする使用済排出海水の泡監視方法である。
【００１９】
第７の発明は、第６の発明の使用済排出海水の泡監視方法により前記排出海水に泡が浮遊しているか否かを判断し、前記排出海水に前記泡が浮遊している場合には、消泡装置を用いて前記排出海水に浮遊している前記泡を消泡することを特徴とする使用済排出海水の排出処理方法である。
【００２０】
第８の発明は、第７の発明において、前記排出海水に泡が浮遊しているか否かを判断した判断結果に基づいて、前記排出海水に浮遊している前記泡の量が所定量以上となったら、前記消泡装置を用いて前記排出海水に浮遊している前記泡を消泡することを特徴とする使用済排出海水の排出処理方法である。
【発明の効果】
【００２１】
本発明によれば、放水路に放出される排出海水に同伴される泡を安定して連続して監視することができる。このため、海水を使用した後に再び海洋へ排出する排出海水に同伴される泡に対して適切に消泡処理を施すことができ、昼夜を通じて効率よく除去することができる。
【図面の簡単な説明】
【００２２】
【図１】図１は、本実施例に係る使用済排出海水の泡監視装置を適用した使用済排出海水の排出システムの構成の概略構成図である。
【図２】図２は、本実施例に係る使用済排出海水の泡監視装置の平面概略図である。
【図３】図３は、図１のＡ−Ａ方向から見た図である。
【図４】図４は、発光部から照射された光を受光部で受光する様子を示す図である。
【発明を実施するための形態】
【００２３】
以下に、本発明に係る使用済排出海水の泡監視装置及び使用済排出海水の排出システムの実施例を図面に基づいて詳細に説明する。なお、本発明は以下の実施例に記載した内容により限定されるものではない。また、以下に記載した下記実施例における構成要素には、当業者が容易に想定できるもの、実質的に同一のもの、いわゆる均等の範囲のものが含まれる。さらに以下に記載した下記実施例で開示した構成要素は適宜組み合わせることが可能である。
【実施例】
【００２４】
本実施例に係る使用済排出海水の泡監視装置の構成について説明する。図１は、本実施例に係る使用済排出海水の泡監視装置を適用した使用済排出海水の排出システムの構成の概略構成図であり、図２は、本実施例に係る使用済排出海水の泡監視装置の平面概略図であり、図３は、図１のＡ−Ａ方向から見た図である。図１〜図３に示すように、本実施例に係る使用済排出海水の排出システム１０は、使用済の排出海水１１を海へ排出する放水路１２に設けられ、使用済排出海水の泡監視装置１３と、消泡装置１４とを有するものである。使用済排出海水の泡監視装置１３は、一対の測定部１５ａ、１５ｂと、検知部（センサ）１６と、光送電手段（光ファイバー）１７と、支持手段（支持部材）１８と、制御手段（制御装置）１９とを有するものである。
【００２５】
排出海水１１は、例えば、海２０から取水した海水を火力発電所、原子力発電所等の発電プラントの復水器の冷却水として用い、復水器で熱交換されて温められた温排水であり、復水器などの放水管２１から海２０に向けて排出される使用済の海水である。
【００２６】
放水路１２には堰２２が設けられ、放水路１２の水面の高さは、復水器の方が海域側よりも高くなるように形成され、海２０の潮位の変動を受けないようにしている。
【００２７】
放水路１２には、排出海水１１が海に向けて排出されるまでの間に、排出海水１１には泡２３が多量に発生し、泡２３を同伴した排出海水１１が海に向けて流れている。泡２３は、排出海水１１が堰２２を越えて下流側に流れ落ちた際に排出海水１１が空気を巻き込むことで生じる泡や、界面活性剤などの化学薬品、微生物や生物死骸などの汚染物、水中の藻類や細菌、無機物や有機物の微粒子、多糖類、脂肪等の両親媒性生体高分子などの様々な原因により生じている泡などがある。空気を巻き込むことで生じる泡のほとんどは放水路１２の途中で消泡するが、汚染物等に起因して生じた泡は、水と水以外の物質（化学薬品や汚染物、水中の藻類や細菌、無機物や有機物の微粒子、多糖類、脂肪等の両親媒性生体高分子）が攪拌されたときに曝気され、いったん沈んだ泡が浮上する際に加圧浮上することによって気泡の周囲に吸着することから界面活性剤としての機能を果たし、気泡が割れにくくなっている。また、こうした泡２３に対しては、物理的な力を加えた場合でも、破泡、消泡せず、余計な泡を生じることが多い。すなわち、小さな泡が放水路１２の下部から上昇する過程で排出海水１１中や放水路１２の底部に堆積した汚泥などの汚濁成分が泡に巻き込まれることで、化学薬品や汚染物、水中の藻類や細菌、無機物や有機物の微粒子、多糖類、脂肪等の両親媒性生体高分子などを多く取り込み、泡の中に更に小さい泡が多数存在した状態の泡を形成することが考えられる。これにより、泡２３の皮膜が厚く、強固となる結果、気泡が割れにくくなり、破泡、消泡し難くなっている。そのため、化学薬品や汚染物等に起因して生じた泡は、放水路１２の排出口まで排出海水１１の表面に着色した状態で浮遊している場合が多い。
【００２８】
放水路１２の下流側の放水路１２と海域との境近傍には、泡２２を同伴した排出海水１１の表面近傍の流れを遮る浮体（フロート）２３が係留して設けられている。フロート２４は放水路１２の排出海水１１の流れ方向と略直交する向きに複数設けられており、放水路１２を流れる排出海水１１の海水表層に浮遊する泡２３を、フロート２４で止めて排出海水１１に同伴して海域に拡散するのを抑制するようにしている。
【００２９】
フロート２４同士は、例えば、紐等により各々連結されており、フロート２４の数は、放水路１２の幅大きさ等により調整される。また、発生する泡２３に応じて、フロート２４の高さや、水没量を適宜調整できるようにしてもよい。
【００３０】
フロート２４を形成する材料としては、例えば、ポリエチレン、ポリプロピレン、ポリエチレンテレフタレート、発泡ポリスチレン等の有機系樹脂などを用いることが好ましい。消泡装置１４として薬剤噴霧装置を用いて排出海水１１に同伴する泡２３を消泡する場合、フロート２４の表面に酸が付着することで、フロート２４の表面に水垢や微生物が付着するのを抑制し、表面の汚染を抑制できると共に、樹脂と泡２３とが接触することで破泡作用が発揮され、泡２３の消泡効果を促進することができる。また、フロート２４からの有害物質溶出が無いため環境水域（海、湖沼、河川等）を汚染することも抑制することができる。
【００３１】
一対の測定部１５ａ、１５ｂは、一対の発光部２５ａ、２５ｂと、一対の受光部２６ａ、２６ｂとを有するものである。図４に示すように発光部２５ａは海２０に向けて光２７を照射し、発光部２５ｂは放水路１２を流れる排出海水１１に向けて光２７を照射する。受光部２６ａは発光部２５ａから海２０に照射して反射した光（反射光）２８を受光し、受光部２６ｂは発光部２５ｂから排出海水１１に照射して反射した光（反射光）２８を受光する。
【００３２】
発光部２５ａ、２５ｂとしては、光を出力できるものであればよく、例えば、レーザーダイオード（Laser  Diode：ＬＤ）や発光ダイオード（Light-Emitting  Diodes：ＬＥＤ）等の光源を有して構成されるものが挙げられる。また、発光部２５ａ、２５ｂから照射する光２７の種類には特に制限はないが、ＬＥＤ等を用いる場合には白色光等などが好適に用いられる。また、受光部２６ａ、２６ｂとしては、例えば、フォトディテクタ（Photo  Detector：ＰＤ）や電荷結合素子（Charge-Coupled  Device：ＣＣＤ）等の固体撮像素子等が用いられる。また、発光部２５ａ、２５ｂ及び受光部２６ａ、２６ｂとしては、公知の反射型フォトセンサ等を用いるようにしてもよい。
【００３３】
発光部２５ｂは泡２３の浮遊している排出海水１１に向けて光２７を照射して、排出海水１１で反射した反射光２８を受光部２６ｂで受光する。このとき、発光部２５ｂから照射される光２７は泡２３、排出海水１１で散乱するため、受光部２６ｂで受光される反射光２８の光量は微少量である。一方、発光部２５ａは泡２３のない海面に向けて光２７を照射して、海面で反射した反射光２８を受光部２６ａで受光する。受光部２６ａで受光される反射光２８は、受光部２６ｂで受光される反射光２８の光量よりも多くなる。よって、受光部２６ａ、２６ｂで受光される光量の差から排出海水１１に泡２３が浮遊しているか否かを検知することができる。
【００３４】
また、本実施例においては、発光部２５ａ、２５ｂは、光源を有して構成されているが、本実施例は、これに限定されるものではなく、発光部２５ａ、２５ｂは発光源を別途設け、光ファイバー１７は、発光源からの光を測定部１５ａ、１５ｂに伝送するようにしてもよい。これにより、発光源からの光を光ファイバー１７を介して発光部２５ａ、２５ｂに伝送し、発光部２５ａ、２５ｂから排出海水１１、海２０に向けて光２７を照射することができる。
【００３５】
支持部材１８は、測定部１５ａ、１５ｂを放水路１２及び海２０の上に支持するためのものである。支持部材１８は、放水路１２から垂直に伸びる支持部１８ａと、支持部１８ａの上端部から測定部１５ａ、１５ｂを放水路１２及び海２０の上で保持する保持部１８ｂとを有する。支持部１８ａは、保持部１８ｂを排出海水１１の水面と、海２０とから所定の高さの位置に支持できるように適宜任意の高さとすることができる。保持部１８ｂは、支持部１８ａの上端部から放水路１２と海２０の両方に延びている。これにより、測定部１５ａ、１５ｂは、各々放水路１２及び海２０の上に位置するように設けることができる。
【００３６】
支持部１８ａは、放水路１２を排出海水１１の流れ方向の前後に移動可能となるように設けてもよい。これにより、フロート２４が排出海水１１の流れに沿って、支持部材１８の設けられている位置から前後してもフロート２４の位置に応じて容易に調整することができる。
【００３７】
光ファイバー１７は、測定部１５ａ、１５ｂで受光された反射光２８をセンサ１６に伝送する。受光部２６ａ、２６ｂで受光された反射光２８の信号は光ファイバー１７を介してセンサ１６に伝送される。
【００３８】
センサ１６は、受光部２６ａ、２６ｂで受光された反射光２８の信号を検知する。センサ１６は、受光部２６ａ、２６ｂから伝送された反射光２８の信号を制御手段１９に伝達する。
【００３９】
センサ１６は、反射光２８の信号の情報を無線で制御手段１９に送信するようにしているが、これに限定されるものではなく、センサ１６は、反射光２８の信号の情報を光ファイバーなどを用いて制御手段１９に送信するようにしてもよい。
【００４０】
制御手段１９は、センサ１６で検知された受光部２６ａ、２６ｂの反射光２８の光量を対比して、受光部２６ａ、２６ｂで受光された反射光２８の光量の対比結果から排出海水１１に泡２３が浮遊しているか否かを求める。
【００４１】
よって、発光部２５ａ、２５ｂと、受光部２６ａ、２６ｂとを用いて、海２０の海面から反射される反射光２８と、泡２３の浮遊している排出海水１１の表面から反射される反射光２８とを検知して対比し、各々の光量の差を求めることにより、放水路１２のフロート２４の近傍に泡２３があるか否かを求めることができる。また、海２０が干潮、満潮により海面の高さが変動する場合でも、発光部２５ａ、２５ｂと、受光部２６ａ、２６ｂとは、支持部材１８により海面より所定の高さにあり、海面の高さの変動の影響を受けることはない。そのため、本実施例に係る使用済排出海水の泡監視装置１３を用いれば、海面の高さの変動の影響を受けることなく、通年で安定してフロート２４近傍で排出海水１１に泡２３が浮遊しているか否かを求めることができる。
【００４２】
制御手段１９は、測定部１５ａ、１５ｂの測定結果に基づく判断結果を監視室のモニタ（表示手段）２９に伝達し、モニタ２９は制御手段１９の判断結果に基づいて放水路１２のフロート２４近傍の排出海水１１に泡２３が浮遊しているか否かを表示する。
【００４３】
これにより、放水路１２のフロート２４近傍の排出海水１１に泡２３が浮遊しているか否かは、モニタ２９で放水路１２の外部から作業員は容易に監視することができる。
【００４４】
また、本実施例では、表示手段としてモニタ２９を用いているが、これに限定されるものではなく、例えば、警告灯を点灯したり、警報を発生したり、ブザー、サイレンを鳴動させたり、回転灯を回転させるなどでもよい。
【００４５】
よって、本実施例に係る使用済排出海水の泡監視装置１３を放水路１２の路外に設け、モニタ２９に制御手段１９の判断結果を表示することにより、放水路１２に放出される排出海水１１に同伴する泡２３を容易に監視することができる。
【００４６】
制御手段１９で泡２３が検知されたら、消泡装置１４により泡２３の消泡処理を行う。本実施例では、消泡装置１４は、薬剤を排出海水１１に噴霧する薬剤噴霧装置である。消泡装置１４は、薬剤３１の薬液を噴霧するスプレー３２と、薬液供給ライン３３と、薬剤タンク３４とを有するものである。スプレー３２から排出海水１１に薬剤３１を供給し、排出海水１１中の微生物を殺菌する。
【００４７】
薬剤３１としては、例えば、次亜塩素酸ナトリウム（ＮａＣｌＯ）、オゾン、過酸化水素水などが挙げられる。消泡装置１４は、その先端のスプレー３２からＮａＣｌＯが５ｐｐｍ〜１０ｐｐｍ相当分となるように散布する。また、オゾンが気体の場合にはオゾンを吹きつけるようにしてもよい。
【００４８】
排出海水１１に浮遊している泡２３は、水中の藻類や細菌、多糖類、脂肪等の両親媒性生体高分子が気泡の周囲に吸着し、界面活性剤としての機能を果たす結果、気泡が割れにくくなっている。そこで、消泡装置１４より薬剤３１を排出海水１１に噴霧することで、例えば藻類や、細菌の殺菌が促進され、この藻類や細菌等の存在に起因する泡の破泡抑止性能を低下させ、消泡が促進される。これにより、微生物由来に起因し、破泡し難い汚濁泡に対して、薬剤処理により、効果的に消泡処理がなされる。
【００４９】
また、制御手段１９は、測定部１５ａ、１５ｂで測定された測定結果に基づいて、消泡装置１４を用いて排出海水１１に浮遊している泡２３を消泡することが好ましい。制御手段１９は、泡２３の発生量が所定量以上と判断した場合に、消泡装置１４を用いて薬剤３１をフロート２４近傍の排出海水１１に噴霧し、排出海水１１に浮遊している泡２３を消泡する。これにより、薬剤３１を無駄に消費することなく、効率よく排出海水１１に浮遊している泡２３の消泡処理を施すことができる。
【００５０】
本実施例においては、消泡装置１４として薬剤噴霧装置を用いているが、本実施例はこれに限定されるものではなく、例えば、高温ガスを噴射する高温ガス噴射装置などを用いてもよい。
【００５１】
よって、本実施例に係る使用済排出海水の排出システム１０によれば、使用済の排出海水１１の放水路１２に本実施例に係る使用済排出海水の泡監視装置１３を設け、放水路１２に放出される排出海水１１に同伴した泡２３を安定して連続して監視することができる。このため、昼夜を通じて消泡装置１４により、排出海水１１の表面に浮遊している泡２３に対して、迅速かつ確実に効率よく消泡処理を施すことができるため、海２０に泡２３が放流するのを抑制することができる。
【００５２】
また、従来のように泡２３を陸上に回収し、陸上に設けた泡処理設備で処理する場合には、泡２３の残骸は産業廃棄物として別途処理する必要があるため、泡２３の処理設備を別途設置する必要があり、ランニングコストが上昇すると共に、廃棄物としての処理コストも嵩むこととなる。これに対し、本実施例に係る使用済排出海水の排出システム１０では、排出海水１１に浮遊している泡２３をそのまま破泡させているため、直接、海２０へ放出することができ、泡２３を処理するために要する泡処理設備の設置コストの低廉及びランニングコストの大幅な削減を図ることが可能となる。
【００５３】
本実施例においては、排出海水１１に同伴した泡２３がフロート２４で海２０に放流するのを防止するようにし、フロート２４でせき止められている泡２３が浮遊している排出海水１１から反射される反射光２８を受光部２６ａ、２６ｂで受光し、センサ１６で検知するようにしているが、本実施例はこれに限定されるものではなく、放水路１２に設けられている堰に滞留する泡２３が浮遊している排出海水１１から反射される反射光を一対の受光部２６ａ、２６ｂで受光するようにしてもよい。
【００５４】
本実施例においては、制御手段１９など本実施例に係る使用済排出海水の排出システム１０において用いられる装置には、一般の電源部４１と、補助電源部として太陽光発電設備４２とから電気を供給するようにしている。太陽光発電設備４２は、発電部として太陽光から電力を得る太陽光発電パネル４３と、発電された電力を充電する充電部４４とを有する。充電部４４としては、例えば、二次電池（充電池）、リチウムイオン充電池、ニッケル水素充電池等を挙げることができる。
【００５５】
昼間に太陽光発電パネル４３で発電した電気は充電部４４に充電され、充電しておいた電気は夜間に制御手段１９の運転用などの電気として用いる。これにより、昼夜を通して安定して効率よく節電しつつ本実施例に係る使用済排出海水の排出システム１０において用いられる装置に電気を供給することが可能となる。
【００５６】
本実施例において、発電部には、自然エネルギーとして太陽光から発電する太陽光発電パネル４３を用いているが、これに限定されるものではない。発電部は、自然エネルギーとして太陽光以外に、風力、水力などから電力を得るようにしてもよい。発電部として、例えば、風力から電力を得る場合には風車が用いられ、水力から電力を得る場合には水車が用いられる。
【００５７】
例えば、風力を用いて電力を得る場合には、昼間に風車で発電した電気を充電部４４に充電し、水力を用いて電力を得る場合には、水車で発電した電気を充電部４４に充電する。そして、夜間に充電部４４に充電しておいた電気を制御手段１９など本実施例に係る使用済排出海水の排出システム１０において用いられる装置の動力用の電気として用いる。これにより、本実施例に係る使用済排出海水の排出システム１０に電気を昼夜を通して安定して効率よく供給することができるため、節電を図りつつ効率よく運転することが可能となる。また、使用済排出海水の泡監視装置１３は主に沿岸部に設置されることから、太陽光発電パネル４３、風車、水車などを併用することが可能である。
【００５８】
本実施例においては、排出海水１１として、火力発電所、原子力発電所等の発電プラントの復水器等から排出される使用済海水に同伴される泡を監視し、処理する場合について説明したが、本実施例はこれに限定されるものではなく、海水脱硫設備で用いた使用済の排出海水、熱交換器等から排出される排水、河川に排出される排水等についても同様に適用することができる。
【符号の説明】
【００５９】
１０  使用済排出海水の排出システム
１１  排出海水
１２  放水路
１３  使用済排出海水の泡監視装置
１４  消泡装置
１５ａ、１５ｂ  測定部
１６  検知部（センサ）
１７  光送電手段（光ファイバー）
１８  支持部材（支持手段）
１８ａ  支持部
１８ｂ  保持部
１９  制御手段
２０  海
２１  放水管
２２  堰
２３  泡
２３  浮体（フロート）
２４  放水管
２５ａ、２５ｂ  発光部
２６ａ、２６ｂ  受光部
２７  光
２８  反射光
２９  モニタ（表示手段）
３１  薬剤
３２  スプレー
３３  薬液供給ライン
３４  薬剤タンク
４１  電源部
４２  太陽光発電設備
４３  太陽光発電パネル
４４  充電部
【図１】
2013036786.tif 000003
【図２】
2013036786.tif 000004
【図３】
2013036786.tif 000005
【図４】
2013036786.tif 000006